(57)【特許請求の範囲】
【請求項１】
被梱包体のエンドの下面を載せる載置部と、この載置部の両側を折曲して前記エンドの両側面を被覆する一対の側片部と、この一対の側片部の各々の側部を折曲して相重なり合うとともに前記エンドの端面を被覆する一対の端片部と、この一対の端片部の重なり合う位置で一方に設けられた爪部と、前記一対の端片部の重なり合う位置で他方に設けられて前記爪部を係止させることにより前記エンドに前記側片部を挟持させる穴部と、前記載置部の前記側片部の間の縁部を折曲して前記端片部を被覆するとともに前記エンドの上面を被覆する被覆片部とを備えた梱包用エンドパッド。
【発明の詳細な説明】
【０００１】
【発明の属する技術分野】
この発明は、照明器具などの被梱包体を梱包する際に被梱包体のエンドを被覆する梱包用エンドパッドに関するものである。
【０００２】
【従来の技術】
第１の従来例を図６に示す。この梱包用エンドパッドは、単品梱包用であり、被梱包体である照明器具の器具本体７０と反射板７１の隙間７２にエンドパッド７３の挿入片７４を、図（ａ）から図（ｂ）のように挿入して、器具本体７０に仮固定した状態を作り出し、次工程の全体の梱包までその状態を保持するものである。
【０００３】
第２の従来例を図７に示す。この梱包用エンドパッドは、集合梱包用であるが、各照明器具等の単品がポリ袋等で包装されている場合である。この場合、６台の単品７５を梱包ケース７８に収納すると同時にコ字形のパッド７６と平板状のパッド７７とを重ねて単品７５の端部と梱包ケース７８の内側面との隙間にパッド７６，７７を手作業で挿入し梱包を行なっていた。
【０００４】
【発明が解決しようとする課題】
しかし、第１の従来例は、商品に隙間等の凹凸がない場合にはエンドパッドを被梱包体で仮固定することが困難であった。また第２の従来例は手作業を必要とし、自動化が困難であった。
このため、自動組立ラインで照明器具等の被梱包体を集合梱包で一対のエンドパッドと外装材により３ピース梱包する際に人手をかけずにエンドの折込み作業を行なえることが要望されている。
【０００５】
したがって、この発明の目的は、仮固定ができかつ自動化が容易な梱包用エンドパッドを提供することである。
【０００６】
【課題を解決するための手段】
請求項１記載の梱包用エンドパッドは、被梱包体のエンドの下面を載せる載置部と、この載置部の両側を折曲して前記エンドの両側面を被覆する一対の側片部と、この一対の側片部の各々の側部を折曲して相重なり合うとともに前記エンドの端面を被覆する一対の端片部と、この一対の端片部の重なり合う位置で一方に設けられた爪部と、前記一対の端片部の重なり合う位置で他方に設けられて前記爪部を係止させることにより前記エンドに前記側片部を挟持させる穴部と、前記載置部の前記側片部の間の縁部を折曲して前記端片部を被覆するとともに前記エンドの上面を被覆する被覆片部とを備えたものである。
【０００７】
請求項１記載の梱包用エンドパッドによれば、載置部に被梱包体のエンドの下面を載せ、側片部を曲げ起こし、端片部を曲げて爪部を穴部に係止することにより仮固定でき、被覆片部を重ねることによりエンドの上面が被覆される。このため、この梱包用エンドパッドを被梱包体に凹凸がないものや集合梱包に適用しても被梱包体のエンドに仮固定でき、しかも自動化が容易になる。またエンドの端面が３重構造となるので強度を大きくすることができ、また梱包用エンドパッド２枚と外装の３ピース構成で被梱包体を梱包できるため低コストな梱包が可能になる。
【０００８】
【発明の実施の形態】
この発明の一実施の形態を図１ないし図５により説明する。すなわち、この梱包用エンドパッドは、展開状態で図２に示すように、平面で略四角形の段ボールを用いたパッド材２０が略Ｅ形をなすようにパッド材２０に切筋１０をつけ、破線の部分で折曲することにより組み立てるものである。図２において、１は載置部、２，３は側片部、４，５は端片部、６は穴部、７は爪部、８は被覆片部である。
【０００９】
載置部１は、図１（ａ）のように被梱包体１１のエンド１２の下面１３を載せる。被梱包体１１は第２の従来例と同様に照明器具をポリ袋に入れて包装した被梱包体を３個並べその上に３個並べたものである。
一対の側片部２，３は、載置部１の両側を折曲して図３（ａ）のように、エンド１２の両側面１５を被覆する。
【００１０】
一対の端片部４，５は、一対の側片部２，３の各々の側部を折曲して図３のように、相重なり合うとともにエンド１２の端面１４を被覆する。
爪部７は一対の端片部４，５の重なり合う位置で端片部４に設けている。実施の形態では端片部４の先端寄りの位置に側片部２に向くコ字形に切筋１５を付けて切起こすことにより形成している。とくに爪部７の詳細を図４（ｂ）に示すように先端の幅がａ＋αと広くなるように形成し、さらに先端の角部に傾斜７ａを付けて穴部６に挿入しやすくしている。
【００１１】
穴部６は一対の端片部４，５の重なり合う位置で端片部５に設けられて図３のように、爪部７を係止させることによりエンド１２に側片部４，５を挟持させている。実施の形態では角穴６に形成し、図３（ａ）のようにその幅をａとし、爪部７の先端の幅ａ＋αよりも狭くして爪部７を押し込んだときに抜けにくくすることにより、形状の保持が崩れないようにしている。
【００１２】
被覆片部８は、載置部１の側片部２，３の間の縁部を折曲して図１（ｃ）のように、端片部４，５を被覆するとともに折曲部２１を介してエンド１２の上面１６を被覆する。
この梱包用エンドパッドを用いた梱包について説明する。図１（ａ）の矢印のように、載置部１に被梱包体１１のエンド１２の下面１３を載置する。図１（ｂ）のように側片部２，３を曲げて立上げ、端片部４，５を折曲して相重ね合わせ、爪部７を穴部６に係止する。これにより、被梱包体１１が載置部１，側片部２，３および端片部４，５に挟持され梱包用エンドパッドが被梱包体１１に仮固定されることとなる。図１（ｃ）のように、被覆片部８を折曲して端片部４，５およびエンド１２の上面を被覆する。この状態で被梱包体１１を外装材１７に載せ、被覆片部８を覆うように被覆し、図１（ｄ）のように接着テープ１８で封緘する。
【００１３】
この実施の形態によれば、載置部１に被梱包体１１のエンド１２の下面１３を載せ、側片部２，３を曲げ起こし、端片部４，５を曲げて爪部７を穴部６に係止することにより仮固定でき、被覆片部８を重ねることによりエンド１２の上面１６が被覆される。
このため、この梱包用エンドパッドを被梱包体１１に凹凸がないものや集合梱包に適用しても、被梱包体１１のエンド１２に仮固定ができ、しかも自動化が容易になる。またエンド１２の端面１４が３重構造となるので強度を大きくすることができ、また梱包用エンドパッドの２枚と外装からなる３ピース構造のため低コストな梱包が可能である。
【００１４】
たとえば、照明器具を３ピース梱包で自動梱包する場合、その被梱包体１１のエンド１２を折り込む工程において、次工程へ送り込むまでの間、被梱包体１１に仮保持してエンドパッドを自立させることができる。
図５は、この実施の形態の変形態様であり、緩衝材としての梱包用エンドパッドの被覆片部８の端片部４を覆う部分が外面に露出するため意匠面２４として印刷を施したものである。
【００１５】
【発明の効果】
請求項１記載の梱包用エンドパッドによれば、載置部に被梱包体のエンドの下面を載せ、側片部を曲げ起こし、端片部を曲げて爪部を穴部に係止することにより仮固定でき、被覆片部を重ねることによりエンドの上面が被覆される。このため、この梱包用エンドパッドを被梱包体に凹凸がないものや集合梱包に適用しても被梱包体のエンドに仮固定でき、しかも自動化が容易になる。またエンドの端面が３重構造となるので強度を大きくすることができ、また梱包用エンドパッド２枚と外装の３ピース構成で被梱包体を梱包できるため低コストな梱包が可能になる。
【図面の簡単な説明】
【図１】この発明の一実施の形態の梱包工程の説明図である。
【図２】展開図の裏面図である。
【図３】側片部および端片部を折曲する状態の説明図である。
【図４】穴部および爪部の説明図である。
【図５】変形態様の梱包状態の部分斜視図である。
【図６】第１の従来例の説明図である。
【図７】第２の従来例の説明図である。
【符号の説明】
１    載置部
２，３    側片部
４，５    端片部
６    穴部
７    爪部
８    被覆片部
１１    被梱包体
１２    エンド
１３    下面
１４    端面
１５    側面
１６    上面
【図１】
0003736018.tif 000002
【図２】
0003736018.tif 000003
【図３】
0003736018.tif 000004
【図４】
0003736018.tif 000005
【図５】
0003736018.tif 000006
【図６】
0003736018.tif 000007
【図７】
0003736018.tif 000008